(57)【特許請求の範囲】
【請求項１】
少なくとも第１基地局及び第２基地局並びに少なくとも１つのワイヤレス端末を有するネットワーク内での効率的なハンドオフを容易にする方法において、
前記少なくとも１つのワイヤレス端末における前記第１基地局から前記第２基地局へのハンドオフのリクエストに応答して、前記第１の基地局から前記第２の基地局に少なくとも１つのレイヤ−２フレームを転送するステップを備え、
前記少なくとも１つのレイヤ−２フレームは、
前記少なくとも１つのワイヤレス端末と前記第１基地局との間でデータの送信を既に開始し、前記レイヤ−３パケットの少なくとも一部が実際にはレイヤ−２で送信されていない場合でも送信されたものとしてレイヤ−３で示された、レイヤ−３パケットの一部であることを特徴とする方法。
【請求項２】
前記レイヤ−２フレームを、前記第２基地局から前記ワイヤレス端末に送信するステップをさらに有することを特徴とする請求項１記載の方法。
【請求項３】
前記レイヤ−２フレームは、前記第１基地局と前記第２基地局のうちの一方と前記ワイヤレス端末との間で送信されてはいないフレームであることを特徴とする請求項１記載の方法。
【請求項４】
前記レイヤ−２フレームは、前記ワイヤレス端末から前記第１基地局にすでに送信されたフレームであることを特徴とする請求項１記載の方法。
【請求項５】
前記レイヤ−２フレームは、特別なレイヤ−３パケットの一部として送信されることを特徴とする請求項２記載の方法。
【請求項６】
前記特別なレイヤ−３パケットは、前記特別なレイヤ−３パケット内にあるフレームの数を決定することができる情報を含むことを特徴とする請求項５記載の方法。
【請求項７】
前記特別なレイヤ−３パケットは、前記特別なレイヤ−３パケット内にあり、送信が開始され、送信されたことが示されたフレームの数を示す情報を含むことを特徴とする請求項５記載の方法。
【請求項８】
前記特別なレイヤ−３パケットは、前記第１基地局と前記ワイヤレス端末との間ですでに送信されたフレームの数を示す情報を含むことを特徴とする請求項５記載の方法。
【請求項９】
少なくとも第１基地局及び第２基地局と少なくとも１つのワイヤレス端末を有するネットワーク内での効率的なハンドオフを容易にする方法において、
（Ａ）レイヤ−３パケットを構成するレイヤ−２フレームを、前記第１基地局と前記ワイヤレス端末との間でワイヤレスリンクを介して送信するステップと、
（Ｂ）前記ワイヤレス端末から、前記第１基地局から前記第２基地局へのハンドオフのリクエストを、前記レイヤ−２フレームの少なくとも１つを送信した後で、前記レイヤ−３パケットのレイヤ−２フレームの全てが前記ワイヤレスリンクを介して送信される前に受信するステップと、
（Ｃ）前記リクエストに応答して、少なくとも１つの送信されていないレイヤ−２フレームを前記第１基地局から前記第２基地局に送信するステップと、を有することを特徴とする方法。
【請求項１０】
前記少なくとも１つの送信されていないレイヤ−２フレームは、前記第１基地局から前記第２基地局にレイヤ−３パケットで送信されることを特徴とする請求項９記載の方法。
【請求項１１】
前記少なくとも１つの送信されていないレイヤ−２フレームは、前記第２基地局から前記ワイヤレス端末に送信されることを特徴とする請求項９記載の方法。
【請求項１２】
（Ｄ）前記（Ａ）のステップで送信されたレイヤ−２フレームの数を送信するステップをさらに有することを特徴とする請求項９記載の方法。
【請求項１３】
（Ｅ）前記レイヤ−２フレームの数を、レイヤ−３パケットで送信するステップをさらに有することを特徴とする請求項９記載の方法。
【請求項１４】
少なくとも第１基地局及び第２基地局と少なくとも１つのワイヤレス端末を有するネットワーク内での効率的なハンドオフを容易にする方法において、
前記第１基地局から前記第２基地局への前記少なくとも１つのワイヤレス端末のハンドオフのリクエストに応答して、少なくとも１つのレイヤ−２フレームを前記第１基地局から前記第２基地局へ転送するステップを備え、
前記少なくとも１つのレイヤ−２フレームは、
前記少なくとも１つのワイヤレス端末と前記第１基地局との間でデータの送信を既に開始し、前記レイヤ−３パケットの少なくとも一部が実際にはレイヤ−２で送信されなかった場合でも転送されたものとしてレイヤ−３で示されたレイヤ−３パケットの一部であることを特徴とする方法。
【請求項１５】
前記レイヤ−２フレームは、前記第１基地局と前記第２基地局のうちの一方と前記ワイヤレス端末との間で送信されてはいないフレームであることを特徴とする請求項１４記載の方法。
【請求項１６】
前記レイヤ−２フレームは、前記ワイヤレス端末から前記第１基地局にすでに送信されたフレームであることを特徴とする請求項１４記載の方法。
【請求項１７】
前記レイヤ−２フレームは、前記第１基地局から前記ワイヤレス端末へ送信されていないフレームであることを特徴とする請求項１４記載の方法。
【請求項１８】
前記ハンドオフのリクエストは、前記少なくとも１つのワイヤレス端末により開始されることを特徴とする請求項１４記載の方法。
【請求項１９】
前記ハンドオフのリクエストは、前記第１基地局により開始されることを特徴とする請求項１４記載の方法。
【請求項２０】
前記ハンドオフのリクエストは、前記第２基地局により開始されることを特徴とする請求項１４記載の方法。
【請求項２１】
前記第２基地局から前記ワイヤレス端末に、前記レイヤ−２フレームを送信するステップをさらに有することを特徴とする請求項１４記載の方法。
【請求項２２】
前記レイヤ−２フレームを送信するステップで送信されたレイヤ−２フレームの数を表す情報を送信するステップをさらに有することを特徴とする請求項１４記載の方法。
【請求項２３】
前記レイヤ−２フレームは、レイヤ−３パケットの一部として送信されることを特徴とする請求項１４記載の方法。
【請求項２４】
少なくとも第１基地局及び第２基地局と少なくとも１つのワイヤレス端末を有するネットワーク内での効率的なハンドオフを容易にする方法において、
前記第１基地局から前記第２基地局への前記少なくとも１つのワイヤレス端末のハンドオフの開始に応答して、少なくとも１つのレイヤ−２フレームを前記第１基地局から前記第２基地局へ転送するステップを備え、
前記少なくとも１つのレイヤ−２フレームは、
前記少なくとも１つのワイヤレス端末と前記第１基地局との間でデータの送信を既に開始し、前記レイヤ−３パケットの少なくとも一部が実際にはレイヤ−２で送信されなかった場合でも転送されたものとしてレイヤ−３で示された、レイヤ−３パケットの一部であることを特徴とする方法。
【請求項２５】
少なくとも第１基地局及び第２基地局と少なくとも１つのワイヤレス端末を有するネットワーク内での効率的なハンドオフを容易にする方法において、
前記少なくとも１つのワイヤレス端末からの、前記第１基地局から前記第２基地局へのハンドオフのリクエストに応答して、少なくとも１つのレイヤ−２フレームを前記第１基地局から前記第２基地局へ転送するステップを備え、
該少なくとも１つのレイヤ−２フレームは、
前記少なくとも１つのワイヤレス端末と前記第１基地局との間でデータの送信を既に開始し、前記レイヤ−３パケットの少なくとも一部が実際にはレイヤ−２で送信されなかった場合でも転送されたものとしてレイヤ−３で示された、レイヤ−３パケットの一部であることを特徴とする方法。
【請求項２６】
前記少なくとも１つのレイヤ−２フレームは、レイヤ−３パケットで送信されることを特徴とする請求項２５記載の方法。
【請求項２７】
前記レイヤ−３パケット内で、前記少なくとも１つのレイヤ−２フレームの数を示す情報を送信するステップをさらに有することを特徴とする請求項２５記載の方法。
【発明の詳細な説明】
【０００１】
【発明の属する技術分野】
本発明は、ワイヤレス通信に関し、特に、ある基地局から別の基地局へ呼をハンドオフするときに、データ通信の品質を改善する方法に関する。
【０００２】
【従来の技術】
ワイヤレスデータ伝送の間、従来のワイヤレスシステムは、ＩＳＯのＯＳＩにおける転送レイヤ、すなわちレイヤ−４に依存している。このＩＳＯのＯＳＩは、データの呼に対し、end-to-end で信頼性の高いデータ伝送を行うために、データ通信に対し７つの層の基準モデルを設けている。そのためパケットの伝送中に、第１基地局から第２基地局へのワイヤレス端末のハンドオフが原因で、データパケットが失われた場合には、レイヤ−４のプロトコルのあるものは、ソースからネットワークを通して宛先までのパケットを再伝送を行わせている。
【０００３】
【発明が解決しようとする課題】
これはネットワークの遅延とネットワークの負荷が増すことになる。レイヤ−４プロトコルの別のものは、喪失したパケットを再伝送することはないが、宛先においてデータにギャップが発生することになる。かくして、いずれのプロトコルにおいても、ハンドオフの結果として失われたパケットを処理するために、レイヤ−４に依存することに関連するペナルティが存在することになる。本発明の目的は、ハンドオフの結果、喪失されたパケットを処理するために、レイヤ−４に依存することの問題点を回避するワイヤレス通信方法を提供することである。
【０００４】
【課題を解決するための手段】
前記課題を解決するために、本発明によれば、第１基地局から第２基地局へのハンドオフのリクエストに応答して、レイヤ−３からレイヤ−２にパスダウンされたワイヤレス端末に向けられた、あるいはワイヤレス端末からのレイヤ−３のパケットの少なくとも１つのレイヤ−２のフレームを転送し、そしてそのことがパケットのレイヤ−２のフレームの全てが実際には送信されていないにも関わらず、レイヤ−３で送信されたことを示す。
【０００５】
本発明の一実施例においては、少なくとも１つのレイヤ−２のフレームのおのおのは、基地局間の通常の通信方法で、第１基地局から第２基地局に転送された特殊な例えば３パケット内に一緒にカプセル化される。好ましいことにパケットはハンドオフが原因では、レイヤ−４では失われない。かくしてレイヤ−４の再転送は必要とされず、その結果ネットワークにおける遅延が低減する。さらにまた、エアを介して第１基地局からワイヤレス端末に送信されなかったレイヤ−２のフレームのみが、第２基地局に転送され、エアインタフェースの使用を節約することができる。
【０００６】
【発明の実施の形態】
図１は本発明によるネットワーク構成を表す。同図には、（ａ）ワイヤレス端末１０１と、（ｂ）基地局１０３−１から１０３−Ｎを含むＮ個の基地局１０３と、ここでＮは、２以上の整数である、（ｃ）アンテナ１０５−１から１０５−Ｎを含むの個のアンテナ１０５と、（ｄ）構造物１０７−１から１０７−Ｎを含むＮ個の構造物１０７と、（ｅ）セル１０９−１から１０９−Ｎを含むＮ個のセル１０９と、（ｆ）ネットワーク１１１と、（ｇ）基地局認証ユニット１１３と、（ｈ）通信リンク１１５−１からリンク１１５−Ｎを含むＮ個の通信リンク１１５と、（ｉ）通信リンク１１７、通信リンク１２１と、（ｊ）セキュリティセンタ１１９とが示されている。
【０００７】
ワイヤレス端末１０１は、複数の基地局と通信でき、この基地局は検出可能な十分な信号強度でもって信号を送信し、ワイヤレス端末１０１の現在の位置で通信できる。十分な強度の信号が特定の基地局に対し検出されると、ワイヤレス端末１０１はその基地局と通信を行う。ワイヤレス端末１０１により採用されたワイヤレス（無線）リンクとプロトコル、すなわちエアインタフェースの種類は、本発明にとって本質的要素をなすものではないが、ワイヤレス端末１０１により採用される無線リンクとプロトコルは、基地局１０３に採用されるのと同一のものでなければならないが、当業者の必要により、いかなる種類のものでも良い。
【０００８】
ワイヤレス端末１０１は複数の基地局と通信を行うことができる。例えばワイヤレス端末１０１は、単一の受信器であり、ワイヤレス端末１０１が信号を受信すると、それに現在サービスしている基地局との情報交換で占有されていない場合には、ワイヤレス端末１０１に到達するのに十分な強度の信号を有する他の基地局から信号を受信することができる。別の構成例として、ワイヤレス端末１０１は、複数の基地局から同時に、例えばワイヤレス端末１０１内の複数の並列受信器を採用することにより信号を受信することができる。さらにまた別の構成例として、ワイヤレス端末１０１は、複数の受信器であるが、受信器の数はワイヤレス端末１０１が、その現在いる場所で十分な強度の信号を受信できる基地局の数以下であり、その結果ワイヤレス端末１０１は、ある基地局からの信号を得るために、その受信器の少なくとも１つに対し走査を実行する必要がある。
【０００９】
基地局１０３は、以下の説明を除いて従来の基地局である。まず第１に基地局１０３は、基地局間通信に対し専用ネットワークに接続される必要はない。その代わりに基地局１０３は、共有公衆ネットワーク、例えばインターネットのようなＩＰベースのネットワークを採用することができる。第２に、各基地局１０３は、「マップ」情報を含む必要がない。その代わりに各基地局１０３は、「マップ」情報の必要な部分のみを発見することができればよい。好ましくは、基地局１０３は小さなスペースに容易に組み込むことのできる小さな基地局である。例えば、専用の構造およびサイトを準備するのではなく、すでに利用可能なスペースに組み込まれた基地局である。好ましいことにこのような小型化は、「マップ」情報の必要な部分を見いだす機能と共に、新たなワイヤレス通信ネットワークの早急な構築が可能となる。さらにまたこのようなワイヤレス通信ネットワークは、そのアーキテクチャーがフレキシブルである、すなわち基地局は容易に追加、あるいは取り外すことができ、そしてさらにはまたそれを維持することも容易である。
【００１０】
各アンテナ１０５は、基地局１０３のそれぞれに接続されている。アンテナ１０５は、それぞれの基地局１０３により生成された信号を放射する。基地局１０３の１つとアンテナ１０５とそれに対応する１つの各組合せが、セル１０９の１つを生成する。図１のセル１０９の形状は、実際のセルの形状を示してはおらず、単にセルに対する従来の概念を示したに過ぎない。実際の様々なセル１０９の形状は全て異なる。
【００１１】
各構造物１０７は、１つあるいは複数の基地局１０３を配置するための設備を有する。さらにまた構造物１０７は、アンテナ１０５を搭載する場所を提供する。例えばある構造物１０７は、１つの基地局１０３が未使用の場所に配置され、１つのアンテナ１０５が外部から取り付けられる既存の家である。
【００１２】
通信リンク１１７は、互いに通信する、および基地局認証ユニット１１３、セキュリティセンタ１１９と通信するための通信路を、基地局１０３に対し提供する。ネットワーク１１１は、様々なサブネットワークから構成される。さらにまた様々なサブネットワークは、異なる種類および異なるプロトコルを採用することも可能である。本発明の一実施例においては、ネットワーク１１１はパケットベースのネットワーク、例えばＡＴＭネットワーク、あるいはＩＰネットワークである。
【００１３】
各基地局１０３は、ネットワーク１１１にそれぞれ通信リンク１１５の１つを介して接続される。この通信リンク１１５はネットワーク１１１の一部とみなすことができる。例えば、ネットワーク１１１あるいは少なくともそのサブネットワークはＩＰネットワークであり、１つの基地局１０３は家である構造物１０７内に配置される。通信リンク１１５はインターネット接続であり、例えばケーブルテレビのライン、あるいは家から屋外への接続を介して行われるもので、これは他の基地局との通信を行う基地局により、あるいはインターネットのブラウジングを行うための家の所有者により共有される。
【００１４】
基地局認証ユニット１１３は、全て有効な基地局１０３のリストとそれに関連する情報、例えば基地局のセキュリティキーと別の識別子とあるいはアドレスを含む。基地局認証ユニット１１３にあげられた基地局は、どの地点のものでも良い。しかし基地局は基地局認証ユニット１１３内のリストにあげられた場合のみ有効となる。同図には１つの装置としてしか示していないが、実際には基地局認証ユニット１１３はいくつかのパーツから構成され、これらは必ずしも地理的に同じ場所にある必要はない。さらにまた信頼性および性能を改善するために、基地局認証ユニット１１３の様々なパーツ、あるいは機能の一部あるいはすべてを複製することもできる。
【００１５】
基地局認証ユニット１１３はネットワーク１１１に通信リンク１１７を介して接続される。基地局認証ユニット１１３が複数のパーツから構築されている場合、あるいは複製されている場合には、通信リンク１１７は、ネットワーク１１１と様々なパーツとの間の必要な通信パスをカバーするものとして解釈できる。
【００１６】
セキュリティセンタ１１９は、サービスされている全ての有効ワイヤレス端末のリストを含む。さらにまた、セキュリティセンタ１１９はセキュリティ情報、例えば認証、チャレンジ−応答対および／または各ワイヤレス端末に関連する暗号化キーを含む。セキュリティ情報は、必要によってはセキュリティセンタ１１９により基地局１０３に分配される。ワイヤレス端末はどの場所でも１１０内にリストアップすることができる。しかしワイヤレス端末は、セキュリティセンタ１１９内のリストに載ったとき初めて有効となる。図では１つの装置として示されているが、実際にはセキュリティセンタ１１９は数個のパーツから組み合わされ、これらのパーツは必ずしも地理的に同一場所にある必要はない。さらにまた信頼性と性能を改善するために、セキュリティセンタ１１９の様々なパーツ、あるいは機能の一部、あるいはすべては複製することができる。
【００１７】
セキュリティセンタ１１９はネットワーク１１１に通信リンク１２１を介して接続される。セキュリティセンタ１１９が複数のパーツから構築されている場合、あるいは複製されている場合には、通信リンク１２１は、ネットワーク１１１と様々なパーツとの間の必要な通信パスをカバーするものとして解釈できる。
【００１８】
図２は、本発明による第１基地局（基地局１０３−１）から第２基地局（基地局１０３−２）へのハンドオフのリクエストに応答して、レイヤ−３からレイヤ−２にパスダウンされたワイヤレス端末に向けられた、あるいはワイヤレス端末からのレイヤ−３のパケットの少なくとも１つのレイヤ−２のフレームを転送し、そしてそのことがパケットのレイヤ−２のフレームの全てが実際には送信されていないにも関わらず、レイヤ−３で送信されたことを示すフローチャートを表す図。同一のプロセスを用いて、ワイヤレス端末から基地局へ、あるいは基地局からワイヤレス端末へのパケット伝送の遅延を減らすために用いることができる。
【００１９】
このプロセスは、ステップ２０１で開始する。レイヤ−３パケットをレイヤ−２に通過させる。ステップ２０３においてレイヤ−２は、レイヤ−３パケットをＮ個のレイヤ−２フレームに分割する。Ｎは１以上の正数であり、レイヤ−３パケットのフレームサイズの関数である。その後、カウンター変数ｉは、ステップ２０５で１に初期化される。次に条件ブランチポイント２０３で、ワイヤレス端末に現在サービスしている第１基地局（基地局１０３−１）から別の基地局（基地局１０３−２）へのハンドオフのリクエストが存在するか否かを決定する。ハンドオフのリクエストのソースは、基地局、あるいはワイヤレス端末のいずれかである。特定のリクエストを発生するものは、システムのアーキテクチャーとワイヤレスと基地局により受信された信号の品質に依存する。
【００２０】
２０７のテスト結果がＮＯの場合には、ハンドオフのリクエストは受信されていないことを示し、プロセスはステップ２０９に進み、そこでフレームｉがワイヤレスリンクを介して送信される。条件ブランチポイント２１１は、送信されたフレームが成功裏に受信されたか否かを決定する。ステップ２１１のテスト結果がＮＯの場合には、ある形式のエラーがフレームの送信中に発生したことを示し、制御はステップ２０７に戻り、プロセスは上記したように継続する。これを行うことによりフレームの再伝送が行われる。
【００２１】
ステップ２１１のテスト結果がＹＥＳの場合には、フレームは成功裏に送信されたことを示し、制御は条件ブランチポイント２１３に進み、そこでｉがＮに等しいか否かをテストする。ステップ２１３のテスト結果がＮＯの場合には、レイヤ−３パケット用に送信すべきフレームが残っていることを示し、制御はステップ２１５に進み、そこでｉの値を増分する。制御はステップ２０７に戻り、次のフレームに対し上述したプロセスが継続される。
【００２２】
ステップ２１３のテスト結果がＹＥＳの場合には、レイヤ−３パケットを構成する全てのフレームが送信されたことを示し、制御はステップ２１７に進み、そこで受信器は受信したフレームの全てをレイヤ−３パケットに組立なおして、レイヤ−３に通過させる。その後このプロセスはステップ２１９で終了する。
【００２３】
ステップ２０７のテスト結果がＹＥＳの場合には、第１基地局から第２基地局へのハンドオフが要求されたことを示し、制御はステップ２２１に進み、そこで送信器は残りのフレーム（番号Ｎ−ｉ＋１）を送信するために、新たな特別なレイヤ−３パケットを本発明により組み立てる。ステップ２２３において特別なレイヤ−３パケットは、新たな基地局に従来の基地局通信を用いて本発明により転送される。ステップ２２３においてはＮとｉの値は、特別なレイヤ−３パケットの一部として本発明により送信される。特別なレイヤ−３パケットの伝送は、通常の基地局通信で行われる。その後ステップ２２５においては、プロセスはワイヤレス端末が第２基地局との間で接続を成功裏に確立するために待機する。接続が確立すると、制御はステップ２２７に進む。
【００２４】
ステップ２２７において、レイヤ−２は受信した特別レイヤ−３パケットを以前に存在したＮ−ｉ＋１個のレイヤ−２フレームに再度分割する。これを行うためにＮとｉの値は、特別なレイヤ−３パケットからまず取り出される。ステップ２２９においてはフレームｉは、新たな基地局とワイヤレス端末との間のワイヤレスリンクを介して送信される。条件ブランチポイント２３１は、送信されたフレームが成功裏に受信したか否かを決定するためにテストをする。ステップ２３１のテスト結果がＮＯの場合には、ある形式のエラーがフレームの伝送中に発生したことを示し、制御はステップ２２９に戻り、このプロセスは上記したように継続する。これを行うことによりフレームの再伝送が行われる。ステップ２３１のテスト結果がＹＥＳの場合には、フレームは成功裏に送信され、制御は条件ブランチポイント２３３に進み、そこでｉがＮに等しいか否かを決定するためにテストを行う。ステップ２３３のテスト結果がＮＯの場合には、送信すべきフレームがまだ残っていることを示し、制御はステップ２３５に進み、そこでｉの値を増分する。制御はステップ２２９に進み、そして次のフレームに対しこのプロセスが継続される。
【００２５】
ステップ２３３のテスト結果がＹＥＳの場合には、特別なレイヤ−３パケットの全てのフレームが、ワイヤレスリンクを介して送信されたことを示し、制御はステップ２２１７に進み、このプロセスは上記したごとく継続される。
【００２６】
上記の実施例では、新たなレイヤ−３パケット内で受信したフレームの伝送の間、ハンドオフのリクエストが存在しない。しかしさらに別のハンドオフのリクエストを受領した場合には、特別なレイヤ−３パケットの残りのフレームは、オリジナルのレイヤ−３パケットのフレームに対し説明したような方法で、Ｎとｉの現在の値と共に特別なレイヤ−３パケットの残りのフレームを転送する。
【００２７】
本発明の他の実施例においてはＮとｉの値は、ステップ２２３で送信された特別なレイヤ−３パケット内には組み込まれていない。例えば、Ｎとｉの値は、すでに受信したフレームと新たなレイヤ−３パケットで受信したフレームから取り出される。別法としてＮとｉの値は、別のパケットで送信することもできる。
【００２８】
図２に記載したプロセスは、基地局からワイヤレス端末へのリンク、すなわちダウンリンクの観点から説明した。かくして第１基地局は、第２基地局にワイヤレス端末に送信されていないフレームを転送する。ワイヤレス端末から基地局へのリンク、すなわちアップリンクに対し、このプロセスを用いるためには、ステップ２２３は、第１基地局によりワイヤレス端末からすでに送信されたフレームではなく、すでに受信したフレームを、特別なレイヤ−３パケット内の第２基地局に転送するよう修正しなければならない。
【図面の簡単な説明】
【図１】本発明によるネットワーク構成を表す図。
【図２】本発明による第１基地局から第２基地局へのハンドオフのリクエストに応答して、レイヤ３からレイヤ２にパスダウンされたワイヤレス端末に向けられた、あるいはワイヤレス端末からのレイヤ３のパケットの少なくとも１つのレイヤ２のフレームを転送し、そしてそのことがパケットのレイヤ２のフレームの全てが実際には送信されていないにも関わらず、レイヤ３で送信されたことを示すフローチャートを表す図。
【符号の説明】
１０１  ワイヤレス端末
１０３  基地局
１０５  アンテナ
１０７  構造物
１０９  セル
１１１  ネットワーク
１１３  基地局認証ユニット
１１５、１１７、１２１  通信リンク
１１９  セキュリティセンタ
２０１  開始
２０３  パケットをＮ個のフレームに分割する
２０５  ｉ＝１に設定
２０７  ハンドオフリクエストがあるか
２０９  フレームｉを送信する
２１１  受信し、ＯＫか
２１７  受信器がＮ個のフレームをレイヤ３パケットに組み立てる
２１９  終了
２２１  フレームｉからＮでパケットを構成する
２２３  パケットとｉ、Ｎを新たな基地局に転送する
２２５  ワイヤレス端末が接続されるのを待つ
２２７  パケットをフレームｉ−Ｎに分割する
２２９  フレームｉを送信する
２３１  受信はＯＫか
【図１】
0004570795.tif 000002
【図２】
0004570795.tif 000003